(57)【要約】  【課題】舌部の放熱性に優れた排気ターボ過給機を提供する。  【手段】スクロール室８及び入口通路９を囲う冷却水ジャケット３１が、左右の隔壁３２ａ，３２ｂによって上下のジャケット３３，３４に分かれている。上下ジャケット３３，３４は前後の連通部によって互いに連通している。冷却水は、下部ジャケット３４から上部ジャケット３３に向けて流れる。隔壁３２ｂの一部は舌部４６の横に配置されており，この隔壁３２ｂに、上下ジャケット３３，３４に開口した連通穴４４を形成している。連通穴４４の存在によって隔壁３２ｂの放熱性が格段に高くなるため、舌部４６から冷却水への放熱性も格段に高くなる。【選択図】図９
2018173056.tif 000002
【特許請求の範囲】
【請求項１】
ハウジングに、タービンが回転自在に配置されたタービン室と、前記タービン室を囲うスクロール室と、前記スクロール室に排気ガスを送り込む入口通路とを備えており、前記入口通路の終端部とタービン室との間の部分は、排気ガスの流れ方向に向かって厚さが縮小する舌部になっている構成であって、
前記ハウジングには、前記入口通路の軸線方向から見て少なくとも前記スクロール室の左又は右の片側に位置した冷却水ジャケットが形成されていて、前記冷却水ジャケットは、前記舌部の略横に位置した部分を有する隔壁によって上下に区分されており、前記隔壁のうち前記舌部の略横に位置した部分に、冷却水及び空気が通過し得る連通穴を形成している、
排気ターボ過給機。
【発明の詳細な説明】
【技術分野】
【０００１】
本願発明は、内燃機関に使用する排気ターボ過給機に関するものである。
【背景技術】
【０００２】
排気ターボ過給機は、タービンが回転自在に配置されたタービンハウジングを有しており、タービン室の外周外側には、回転軸心からの距離が始端から終端に向けて小さくなった渦巻き状のスクロール室を形成しており、スクロール室の始端に入口通路が連通している。そして、スクロール室の終端部は入口通路の終端部の近傍に位置しているが、スクロール室が渦巻き形であることに起因して、入口通路の終端部とスクロール室の終端部との間の部位は、排気ガスの流れ方向に向けて厚さが縮小する舌部になっている。
【０００３】
排気ターボ過給機において、タービンハウジングの舌部は熱の影響を最も強く受ける部分であるため、熱害を軽減することが考えられている。その例として、特許文献１には、スクロール室の片側に冷却水ジャケットを形成した場合において、冷却水ジャケットのうち舌部の横に位置した部位にリブを設けることが開示されている。
【０００４】
他方、特許文献２には、タービンハウジングをアルミ製とした場合において、舌部を鋼製にしてタービンハウジングに鋳込むことが開示されている。なお、特許文献２には、スクロール室を囲うように冷却水ジャケットを形成することも開示されている。
【先行技術文献】
【特許文献】
【０００５】
【特許文献１】特開２０１６−１７３０６８号公報
【特許文献２】特開２０１６−４７２８７号公報
【発明の概要】
【発明が解決しようとする課題】
【０００６】
タービンハウジングを水冷式とすることは、タービンハウジング全体にとって有益であり、特許文献２に開示されているように、冷却水ジャケットを設けることにより、タービンハウジングをアルミ化して軽量化することが可能になる。しかし、舌部はその構造に基づいて熱害を受けやすいため、特に熱害対策が要請される。
【０００７】
しかるに、特許文献２のように舌部を鋼製にして鋳込む対策は、製造に多大の手間がかかる問題や、寸法のバラツキによる精度低下のおそれがある問題、或いは、鋼とアルミとの熱膨張率の違いによって舌部にガタ付きが発生するおそれがある問題などが懸念される。他方、特許文献１の対策は、舌部が受けた熱がリブを介して冷却水に放熱されるため、冷却水ジャケットを有効利用できるといえる。
【０００８】
本願発明はこのような現状に鑑み成されたものであり、特許文献１と同様に冷却水ジャケットを設けつつ、更に冷却水を有効利用して舌部の冷却性能を向上させようとするものである。
【課題を解決するための手段】
【０００９】
本願発明の排気ターボ過給機は、ハウジングに、タービンが回転自在に配置されたタービン室と、前記タービン室を囲うスクロール室と、前記スクロール室に排気ガスを送り込む入口通路とを備えており、前記入口通路の終端部とタービン室との間の部分は、排気ガスの流れ方向に向かって厚さが縮小する舌部になっている、という基本構成である。
【００１０】
そして、前記ハウジングには、前記入口通路の軸線方向から見て少なくとも前記スクロール室の左又は右の片側に位置した冷却水ジャケットが形成されていて、前記冷却水ジャケットは、前記舌部の略横に位置した部分を有する隔壁によって上下に区分されており、前記隔壁のうち前記舌部の略横に位置した部分に、冷却水及び空気が通過し得る連通穴を形成している。
【００１１】
本願発明では、タービンハウジングの素材には限定はないが、アルミ等の軽金属製とすると、軽量化できて水冷式のメリットを大きく享受できる。冷却水ジャケットは、特許文献１と同様にスクロール室の片側のみに形成することも可能であるが、スクロール室を全体的に囲うように形成するのが好ましい。従って、スクロール室の左右両側に冷却水ジャケットを形成して、左右の冷却水ジャケットを隔壁で上下に仕切り、左右の隔壁にそれぞれ連通穴を空けると好適である。
【発明の効果】
【００１２】
本願発明では、冷却水ジャケットは左右の隔壁を介して上下に分離しているため、冷却水ジャケットを挟んで外側に位置した部分と内側に位置した部分とが、隔壁で繋がっている。このため、冷却水ジャケットでスクロール室を全体的に囲うような形態であっても、冷却水ジャケットで囲われた内側部分が容易に変形することはなくて、高い剛性を確保できる。また、隔壁は、特許文献１のリブと同様に放熱部としても機能するため、熱の籠もりを抑制して冷却性能向上にも貢献できる。
【００１３】
そして、隔壁に連通穴が空いているため、この連通穴を通って、冷却水が、下部ジャケットから上部ジャケットに、又は、上部ジャケットから下部ジャケットに流れることにより、隔壁から冷却水への熱交換量が著しく高くなり、結果として、舌部から冷却水への放熱も促進される。その結果、舌部が過剰昇温することを防止して、高い信頼性を確保することができる。
【００１４】
また、連通穴は空気抜き穴としても機能させることができるため、冷却水に混じっていた気泡が隔壁の下面部に滞留して放熱性が低下したり、冷却水が沸騰して発生した気泡が隔壁の下面部に滞留して放熱性が低下したりするといったことは無い。これよっても、高い信頼性を確保することができる。
【図面の簡単な説明】
【００１５】
【図１】実施形態に係る排気ターボ過給機の全体図であり、（Ａ）は吸気入口の方向から見た斜視図、（Ｂ）は排気ガスの入口方向から見た斜視図である。
【図２】（Ａ）は排気ターボ過給機の平面図、（Ｂ）の正面図である。
【図３】図２（Ａ）のIII-III 視断面図である。
【図４】（Ａ）はタービンハウジングの平面図、（Ｂ）は冷却水ジャケットを実線で表示してタービンハウジングの外形を一点鎖線で表示した平面図、（Ｃ）は排気ガス通路を実線で表示してタービンハウジングの外形を一点鎖線で表示した平面図である。
【図５】（Ａ）はタービンハウジングの正面図、（Ｂ）は冷却水ジャケットを実線で表示してタービンハウジングの外形を一点鎖線で表示した正面図である。
【図６】（Ａ）はタービンハウジングの右側面図、（Ｂ）は冷却水ジャケットを実線で表示してタービンハウジングの外形を一点鎖線で表示した右側面図である。
【図７】（Ａ）はタービンハウジングの底面図、（Ｂ）は図４（Ａ）の VIIB-VIIB視左断面図、（Ｃ）は冷却水ジャケットの左側面図である。
【図８】（Ａ）は図４（Ａ）及び図５（Ａ）の VIIIA-VIIIA視断面図、（Ｂ）は（Ａ）のＢ−Ｂ視断面図で図５（Ａ）の VIIIB-VIIIB視断面図、（Ｃ）は図４（Ａ）及び図６（Ａ）並びに図７（Ｂ）の VIIIC-VIIIC視概略断面図である。
【図９】（Ａ）は図４（Ａ）及び図７（Ｂ）のIX-IX 視断面図、（Ｂ）は図６（Ａ）及び図８（Ａ）のIXB-IXB 視断面図である。
【発明を実施するための形態】
【００１６】
(1).概要
次に、本願発明の実施形態を図面に基づいて説明する。まず、図１〜３を参照して概要を説明する。本実施形態では、方向を明確にするため前後・左右・上下の文言を使用するが、回転軸の長手方向を左右方向として、これと直交すると共にシリンダヘッドの排気側面と直交した方向を前後方向として、シリンダヘッドから向いた方向を前としている。上下方向は鉛直方向である。念のため、図１，２等に方向を明示している。
【００１７】
図３に示すように、排気ターボ過給機は、ブレード式のタービン１及びコンプレッサ翼２を備えており、両者は、水平姿勢の回転軸３の一端部と他端部とに固定されている。また、排気ターボ過給機は、タービンハウジング４とコンプレッサハウジング５、及び、両者の間に位置した中間ハウジング６とを有しており、タービンハウジング４と中間ハウジング６とは、アルミの鋳造品として一体に製造されている。コンプレッサハウジング５は、アルミのダイキャスト品又は鋳造品である。
【００１８】
タービンハウジング４には、タービン１が回転自在に配置されたタービン室７と、タービン室７の外周部に連通したタービン側スクロール室８とが形成されている。タービン側スクロール室８は、タービン１の回転軸心からの距離が始端から終端に向けて徐々に小さくなる渦巻き形状になっており、その始端（上端）に、図１（Ｂ）に示す入口通路９が連通している。
【００１９】
従って、タービンハウジング４は、タービン側スクロール室８が形成された円形状部４ａと、入口通路９が形成された入口筒部４ｂとを有しており、かつ、中間ハウジング６と反対側に突出したサイド張り出し部４ｃが、円形状部４ａ及び入口筒部４ｂと一体に繋がった状態で形成されている。入口筒部４ｂの後端には、シリンダヘッド（又は排気マニホールドの集合部）にボルトで固定される入口側フランジ１２が形成されている。
【００２０】
また、図３から理解できるように、サイド張り出し部４ｃには、タービン室７から排出された排気ガスが流れる出口通路１３と、入口通路９と出口通路１３とを繋ぐウエストゲート通路１４とが形成されており、ウエストゲート通路１４は、回動式のウエストゲートバルブ１５で開閉される。出口通路１３には、タービン側スクロール室８の内周部を構成するためのシュラウドピース１３ａを装着している。ウエストゲートバルブ１５は、図１に示すダイヤフラム式のアクチュェータ１６によって駆動される。アクチュェータ１６はロッド１７を有しており、ロッド１７が前後動すると、外リンク１８と支軸１９と内リンク２０とを介して、ウエストゲートバルブ１５が支軸１９の軸心回りに回動する。
【００２１】
サイド張り出し部４ｃには出口側フランジ２１が形成されており、図示は省略するが、この出口側フランジ２１に触媒ケースが固定される（排気管を固定してもよい。）。排気ガスが排出される出口穴１３ｂは、斜め下向きに開口している。
【００２２】
図３に示すように、コンプレッサハウジング５には、吸気入口２２と、コンプレッサ翼２の外側に位置したコンプレッサ側スクロール室２３とが形成されており、コンプレッサ側スクロール室２３で加圧された吸気は、排出口２４から吸気系に排出される。コンプレッサハウジング５は、Ｃ形又は２つ割り状のリング２５を介して中間ハウジング６と連結されている。
【００２３】
中間ハウジング６には、フローティングメタル２６を介して回転軸３を回転自在に保持する軸受け部２７が形成されている。軸受け部２７には、上向きに開口したオイル供給穴２８と、下向きに開口したオイル排出穴２９とが形成されている。回転軸３のシール構造は、本願発明との関係はないので説明は省略する。
【００２４】
(2).タービンハウジングの冷却構造
タービンハウジング４には、冷却水が流れる冷却水ジャケットを形成している。この点を、図４以下の図面を参照して説明する。図７（Ｃ）及び図８に示すように、冷却水ジャケット３１は、左右の隔壁３２ａ，３２ｂを介して上下に分かれた上部ジャケット３３と下部ジャケット３４とを有しており、これら上下ジャケット３３，３４は、１つのフロント連通部３５と、左右２つのリア連通部３６によって連通している。前部隔壁３２ａと，後部隔壁３２ｂとは、概ねスクロール室８を挟んで前後に分かれている。
【００２５】
そして、下部ジャケット３４には冷却水入口３７が連通して、上部ジャケット３３は冷却水出口３８が連通している。冷却水入口３７及び冷却水出口３８はボス部に形成されており、図８，９（Ａ）に示すように、冷却水入口３７及び冷却水出口３８は、ボ継手筒３７ａ，３８ａを介してホースに接続されている。
【００２６】
円形状部４ａ及び入口筒部４ｂは左右の隔壁３２ａ，３２ｂで内外の部分が繋がっているので、排気ガスが流れる内部は安定的に保持されており、全体として高い剛性が確保されている。また、連通部３５，３６は前後に分かれているので、冷却水は上下ジャケット３３，３４の全体をまんべんなく流れて冷却水出口３８から排出される。従って、タービンハウジング４の全体をできるだけ均等に冷却して、熱ひずみの発生を大幅に抑制できる。
【００２７】
図３，５，７（Ａ）（Ｂ）などに示すように、サイド張り出し部４ｃは、円形状部４ａ及び入口筒部４ｂよりも上に突出した山形になっており、最も高い部位に出口ボス３９を形成して、これに冷却水出口３８を形成している。従って、上部ジャケット３３は、側面視及び正面視で上向きに窄まった漏斗状になっており、下から送られた冷却水は、途中で淀むようなことなく、冷却水出口３８に集められて確実に排出される。例えば図６（Ｂ）において、上部ジャケット３３の上向き突出部を符号３３ａで表示している。
【００２８】
また、例えば図５に明示するように、冷却水ジャケット３１の冷却水入口３７はタービン室７の真下に位置して筒状の形態になっている一方、冷却水出口３８は、スクロール室８よりも出口通路１３及びウエストゲート通路１４の側に偏っており、両者は左右方向に離れている（オフセットされている）。また、上下冷却水ジャケット３３，３４とも、中間ハウジング６の側よりも、出口通路１３及びウエストゲート通路１４の側において体積が遥かに大きくなっている。このため、高温に晒されて熱害を受けやすい部位（特に、排気ガス通路で囲まれた部位）を強く冷却して、熱ひずみの発生を大幅に抑制できる。
【００２９】
連通穴３５，３６は、外向きに開口した空洞部４０にねじ式のプラグ４１を嵌め込むことによって形成されている。すなわち、プラグ４１を空洞部４０の途中までねじ込むことにより、空洞部４０の一部を連通穴３５，３６と成している。
【００３０】
図４（Ｂ）や図８（Ａ）から理解できるように、円形状部４ａには、上部ジャケット３３と下部ジャケット３４とを左右に二分する補助リブ４２，４３を設けている。このため、タービン１の保持部は高い剛性が確保されていて、タービン１の正確な回転を確保できる。また、リブ４２，４３には、水流を左右に分ける整流機能も保持させ得るため、冷却水の流れのスムース化にも貢献できる。更に、リブ４２，４３は放熱の機能も発揮するため、熱の籠もりを抑制できる利点もある。
【００３１】
図７（Ｂ）に示すように、入口筒部４ｂは、その後端から前端に向けて高さが少し高くなるように傾斜している。このため、図７（Ｃ）に示すように、冷却水ジャケット３１のうち入口筒部４ｂの箇所に位置した部分も、手前に向けて高くなるように側面視でやや傾斜している。この冷却水ジャケット３１の形態に対応して、後部隔壁３２ｂは、いったん立ち上がってから水平状の姿勢で後ろに向かい、それから後ろに向けて低くなるように傾斜しており、このため、下部ジャケット３４の上面、概ね側面視で山形の形態を成している。
【００３２】
そこで、下部ジャケット３４の上端部に気泡が溜まることを確実に阻止すべく、後部隔壁３２ｂのうち高さが高い部分に、図９（Ａ）に示すように連通穴４４を形成している。このため、冷却水に気泡が含まれていたり、冷却水が沸騰して気泡が発生したりしても、気泡を速やかに排除でき、さらに高い冷却性も確保できる。連通穴４４はドリル加工で形成されているため、タービンハウジング４には連通穴４４と同心のドリル穴４５が空いているが、このドリル穴４５は図示しないプラグで塞がれている。
【００３３】
図８に示すように、タービン側スクロール室８は渦巻き状になっているため、タービン側スクロール室８の始端部は入口通路９の終端部とで挟まれた部分は、先端に向けて厚さが薄くなった舌部４６になっている。このため、舌部４６はタービンハウジング４で最も過酷な熱環境に晒されるが、本実施形態では、概ね舌部４６の横に後部隔壁３２ｂの一部が位置しており、後部隔壁３２ｂのうち舌部４６の横に位置した部位に連通穴４４が空いている。なお、舌部４６と後部隔壁３２ｂとは、多少の高さの相違はあってもよいが、側面視で少なくとも部分的に重なっているのが好ましい。
【００３４】
そして、連通穴４４を冷却水が流れることにより、後部隔壁３２ｂから冷却水への熱交換が著しく促進されるため、舌部４６の熱も後部隔壁３２ｂを介して冷却水に放熱される。その結果、舌部４６が過剰に昇温することを防止して、溶損のような問題を無くすことができる。
【００３５】
図９（Ａ）に示すように、入口通路９とウエストゲート通路１４とは左右に並んでおり、両者の間に後部隔壁３２ｂの片側が位置しているが、後部隔壁３２ｂに空気抜き穴用連通穴４４を空けると、ウエストゲート通路１４の箇所からの伝熱も抑制できるため、舌部４６の保護手段として一層有益である。なお、連通穴４４は、１つの後部隔壁３２ｂに複数空けてもよい。左右の後部隔壁３２ｂにおいて、連通穴４４の数や内径を異ならせることも可能である。
【００３６】
以上、本願発明の実施形態を説明したが、本願発明は他にも様々に具体化できる。例えば冷却水ジャケットの形態は、タービンハウジングの形状等に応じて適宜設定できる。中間ハウジングとタービンハウジングとは別体であってもよい。
【産業上の利用可能性】
【００３７】
本願発明は、実際に排気ターボ過給機に具体化できる。従って、産業上利用できる。
【符号の説明】
【００３８】
１  回転軸
２  タービン
３  コンプレッサ翼
４  タービンハウジング
４ａ  円形状部
４ｂ  入口筒部
４ｃ  サイド張り出し部
８  タービン側スクロール室
９  入口通路
３１  冷却水ジャケット
３２ａ，３２ｂ  隔壁
３３  上部ジャケット
３４  下部ジャケット
３５，３６  連通部
３７  冷却水入口
３９  冷却水出口
４４  連通穴
４６  舌部
【図１】
2018173056.tif 000003
【図２】
2018173056.tif 000004
【図３】
2018173056.tif 000005
【図４】
2018173056.tif 000006
【図５】
2018173056.tif 000007
【図６】
2018173056.tif 000008
【図７】
2018173056.tif 000009
【図８】
2018173056.tif 000010
【図９】
2018173056.tif 000011
【手続補正書】
【提出日】平成29年5月31日(2017.5.31)
【手続補正１】
【補正対象書類名】明細書
【補正対象項目名】０００５
【補正方法】変更
【補正の内容】
【０００５】
【特許文献１】特開２０１６−１７３０６８号公報
【特許文献２】特開２０１６−７５２８７号公報